(57)【要約】【課題】スプールに釣り糸が均一に巻き取られるようにするレベルワインダーに結合され、通過する釣り糸を案内する案内部を備えたラインガイドに耐磨耗性特性を持つ強化部材を組み込んだ釣り用リールを提供する。【解決手段】スプールを備えたリール本体；スプールの前方のリール本体に設けられた二重螺線軸を持つレベルワインダー；及び前記レベルワインダーの二重螺線軸に結合する対応締結部を持つボディーと、前記ボディーの上部に設けられ、釣り糸が通過する案内部とを持つラインガイド；を含んでなり、前記ラインガイドには耐磨耗性素材のライン接触強化部材が設けられる。【選択図】図１
2016096824.tif 000002
【特許請求の範囲】
【請求項１】
スプールを備えたリール本体；
スプールの前方のリール本体に設けられた二重螺線軸を持つレベルワインダー；及び
前記レベルワインダーの二重螺線軸に結合する対応締結部を持つボディーと、前記ボディーの上部に設けられ、釣り糸が通過する案内部とを持つラインガイド；を含んでなり、
前記ラインガイドには耐磨耗性素材のライン接触強化部材が設けられたことを特徴とする、釣り用リール。
【請求項２】
前記ラインガイドの強化部材は、互いに離隔した外狭状の第１強化接触リング及び内広状の第２強化接触リングを含んでなることを特徴とする、請求項１に記載の釣り用リール。
【請求項３】
前記ボディーは装着部を持ち、前記強化部材は強化接触リングと組立部が一体に構成された組立型構造を持ち、ボディーの装着部に結合された強化部材の組立部を固定するフィクサー（ｆｉｘｅｒ）をさらに含むことを特徴とする、請求項１又は２に記載の釣り用リール。
【請求項４】
前記ラインガイドの案内部の下部には貫通排水部が設けられたことを特徴とする、請求項１ないし３のいずれか１項に記載の釣り用リール。
【発明の詳細な説明】
【技術分野】
【０００１】
本発明は、ライン接触強化部材を持つラインガイドを備えた釣り用リールに係わる。より詳しくは、スプールに釣り糸が均一に巻き取られるようにするレベルワインダーに結合され、通過する釣り糸を案内する案内部を備えたラインガイドに耐磨耗性の特性を持つ強化部材を組み込むとともに、組立型構造を持つラインガイドを構成して生産及び維持保守のための組立便利性を向上させ、さらに互いに離隔した外狭状の第１強化接触リング及び内広状の第２強化接触リングでラインガイドを構成することで、釣り針に連結された鉤素と道糸間の結び目が巻解及び巻取過程で接触及び衝突することによるラインガイドの破損を防止し、さらに案内部の下部に貫通排水部を設けて水分や異物の排出ができるようにした釣り用リールに関する。
【背景技術】
【０００２】
釣り用リールのラインガイドに対する従来技術としては、大韓民国特許公開第１０−１９９９−００７２５０６号の「釣り竿用ラインガイド」がある。この従来技術は、釣り糸放出案内斜面を持つラインガイドにおいて、この斜面の傾斜を緩くすれば、ボディーの全長が増えて重量が増加する問題を解決するために、ライン通過部と釣り竿付着部を持つボディーを含み、ライン通過部の孔の前端部に内側に挿入されたガイドリングを備え、ライン通過部の主壁の前端部から後部側に前部が上がった釣り糸放出案内斜面が設けられたラインガイドにおいて、釣り糸放出案内斜面の傾斜を緩くし、その前端を前記主壁の前端部の外周面に連続するようにし、この連続部位は主壁の水平中心軸から頂上部側に少し近くなるようにした釣り竿用ラインガイドを提示している。
【０００３】
また、従来技術としては、大韓民国特許公開第１０−２０００−００１１１８３号の「釣り竿用ラインガイド及び進退式釣り竿」がある。この従来技術は、釣り竿通過孔を持つ付着部を合成樹脂で形成し、釣り竿通過孔の横断面形状を基本的に正方形にして四つの直線状釣り竿接触辺を設け、この釣り竿接触辺が釣り竿の外周面にほぼ接触するようにし、釣り竿通過孔に釣り竿が押し込まれると、互いに対向する釣り竿接触辺間の間隔が増加して釣り竿体の変形が起こり、この変形によって押込抵抗の一部がなくなって、押込力を制御しやすくすることにより、目的位置に精密で易しく固定させるとともに釣り竿が折れることを防止する釣り竿用ラインガイド及び進退式釣り竿を提示している。
【０００４】
しかし、前記の２つの従来技術では、ラインガイドと釣り糸間の摩擦力を減少させる構成が設けられていないため、摩擦力により釣り糸が切れる問題を解決することができず、高強度の釣り糸によってラインガイドが破損し易く、維持保守費用が増加する問題がある。
【０００５】
さらに他の従来技術としては、大韓民国実用新案登録公告第２０−０１８６６３８号の「釣り用ベイトキャストリールのラインガイド構造」がある。この従来技術は、胴体及びスプールの一側に設けられ、ウォームシャフト、止め具、止め具固定ネジ及び案内棒からなる通常の釣り用ベイトキャストリールのラインガイド構造において、四角体の側部にスライドホールを穿設し、その下部にネジ部が形成された合成樹脂材のサポーターと、サポーターと対向して結合するように折曲形成され、その両側に通孔が形成され、その一側面には延長部が形成され、これにガイドホールが形成された金属材のラインガイドを互いに結合することで、耐久性を向上させることはもちろんのこと、金属性の光彩が発現するようにして品位を高める釣り用ベイトキャストリールのラインガイド構造を提示している。しかし、この従来技術は、金属材ラインガイドを備えて耐久性を向上させるようにするが、ラインガイドが金属材の場合、ラインガイドに直接摩擦する釣り糸が摩擦力によって切れるため、釣り糸を取り替えなければならない問題がある。
【０００６】
さらにまた、従来技術として、大韓民国特許公開第１０−２０００−００６２４３５号の「釣り竿用ラインガイド及び釣り竿」がある。この従来技術は、中間ガイドにおいてフレームの後支持脚の長さは前支持脚と前付着足の全長より長くし、これらの前支持脚及び前付着足を左右の後支持脚の内側領域で切って立て、前支持脚の長さをリング固定部の外径の４分の１程度に制限することで、長さが短いので、ラインがめったに縺れなく、投擲時に正確性が向上し、後支持脚の前後長を長くすることにより、後支持脚の傾斜を非常に緩くすることができるので、縺れた糸が易しく抜け出る釣り竿用ラインガイド及び釣り竿を提示している。しかし、この従来技術は、ラインがめったに縺れなく、正確性を向上させるラインガイドを提示しているが、構造が簡単でありながらも釣り糸との摩擦による釣り糸の破損防止またはラインガイドの摩耗防止などができず、入れ替えが頻繁であるため、維持保守費用が増加する問題がある。
【０００７】
また、レベルワインダーのラインガイドへの固定は、ボンディング及び押込みによってなされるが、ボンディング法及び押込方向によって釣り糸が解ける方向または釣り糸を巻く方向によってラインガイドが抜け出ることがあり、ボンドによる接着方式は、接着剤の接着力が水によって低くなってラインガイドが抜け出るおそれがある。また、押込による固定方式は、ラインガイドを押し込んだレベルワインダーが通常プラスチックからなっているが、気温の上昇及び降下によってプラスチックが膨脹または収縮するため、膨脹時には押込力が低くなって抜け出ることがあり、収縮時にはラインガイドが割れることがある。
【先行技術文献】
【特許文献】
【０００８】
【特許文献１】大韓民国特許公開第１０−１９９９−００７２５０６号公報
【特許文献２】大韓民国特許公開第１０−２０００−００１１１８３号公報
【特許文献３】大韓民国実用新案登録公告第２０−０１８６６３８号公報
【特許文献４】大韓民国特許公開第１０−２０００−００６２４３５号公報
【発明の概要】
【発明が解決しようとする課題】
【０００９】
本発明は前記問題を解決するためになされたもので、スプールに釣り糸が均一に巻き取られるようにするレベルワインダーに結合され通過する釣り糸を案内する案内部を備えたラインガイドに、耐磨耗性特性を持つ強化部材を組み込んだ釣り用リールを提供することを目的とする。
【００１０】
また、本発明は、ラインガイドの強化部材が互いに離隔した外狭状の第１強化接触リング及び内広状の第２強化接触リングでラインガイドを構成することで、釣り針に連結された鉤素と道糸間の結び目が解けるとか巻き取られる特性に合う構造を持ち、また釣り糸の巻解及び巻取過程で繰り返し接触するとか衝突することによるラインガイドの破損が充分に防止されるようにした釣り用リールを提供することを他の目的とする。
【００１１】
また、本発明は、組立型構造を持つラインガイドを構成して、生産及び維持保守のための組立便利性を向上させた釣り用リールを提供することをさらに他の目的とする。
【００１２】
また、本発明は、案内部の下部に貫通排水部を設けて水分や異物の排出ができるようにして、釣り糸及び釣り用リールの清潔維持及び耐久性向上まで図るようにした釣り用リールを提供することをさらに他の目的とする。
【課題を解決するための手段】
【００１３】
上記目的を達成するために、本発明によるライン接触強化部材を持つラインガイドを備えた釣り用リールは、
スプールを備えたリール本体；
スプールの前方のリール本体に設けられた二重螺線軸を持つレベルワインダー；及び
前記レベルワインダーの二重螺線軸に結合する対応締結部を持つボディーと、前記ボディーの上部に設けられ、釣り糸が通過する案内部とを持つラインガイド；を含んでなり、前記ラインガイドには耐磨耗性素材のライン接触強化部材が設けられたことを特徴とする。
【００１４】
前記ラインガイドの強化部材は、互いに離隔した外狭状の第１強化接触リング及び内広状の第２強化接触リングを含んでなることができる。
【００１５】
前記ボディーは装着部を持つことができ、前記強化部材は強化接触リングと組立部が一体に構成された組立型構造を持つことができ、ボディーの装着部に結合された強化部材の組立部を固定するフィクサー（ｆｉｘｅｒ）をさらに含むことができる。
【００１６】
前記ラインガイドの案内部の下部には貫通排水部を設けることができる。
【発明の効果】
【００１７】
以上のように、本発明によるライン接触強化部材を持つラインガイドを備えた釣り用リールは、スプールに釣り糸が均一に巻き取られるようにするレベルワインダーに結合され、通過する釣り糸を案内する案内部を備えたラインガイドに耐磨耗性特性を持つ強化部材を組み込んでラインガイドの強度向上及び耐久年限の増大に役立てる。
【００１８】
またラインガイドの強化部材が互いに離隔した外狭状の第１強化接触リング及び内広状の第２強化接触リングでラインガイドを構成することで、釣り針に連結された鉤素と道糸間の結び目の巻解及び巻取特性に合う構造を持ち、また釣り糸の巻解及び巻取過程で繰り返し接触及び衝突することによるラインガイドの破損を充分に防止することができるようにする。
【００１９】
また、本発明によるライン接触強化部材を持つラインガイドを備えた釣り用リールは、組立型構造を持つラインガイドを構成して、生産及び維持保守のための組立便利性を向上させる。さらに、案内部の下部に貫通排水部を組み込むことで、水分や異物の排出ができるようにして、釣り糸及び釣り用リールの清潔維持及び耐久性向上まで図ることができる。
【図面の簡単な説明】
【００２０】
【図１】本発明によるラインガイドアセンブリーの第１実施例の結合断面図である。
【図２】本発明によるラインガイドアセンブリーの第２実施例の結合断面図である。
【図３】本発明によるラインガイドアセンブリーの第３実施例の結合断面図である。
【図４】本発明によるラインガイドアセンブリーの第３実施例の結合断面図である。
【図５】本発明によるラインガイドアセンブリーの第４実施例の結合断面図である。
【発明を実施するための形態】
【００２１】
以下、添付図面に基づいて本発明を詳細に説明する。
【００２２】
本発明は多様な変更を加えることができ、いろいろの形態を持つことができる。これから、具現例（態様、ａｓｐｅｃｔ）または実施例を本文に詳細に説明する。しかし、これは本発明を特定の開示形態に限定しようとするものではなく、本発明の思想及び技術範囲に含まれるすべての変更、均等物ないし代替物を含むものに理解しなければならない。
【００２３】
各図において同一の参照符号、特に十の桁及び一の桁、または十の桁、一の桁及びアルファベットが同じ参照符号は同一または類似の機能を持つ部材を示し、特に言及がない場合、図面の各参照符号が指称する部材はこのような基準に準ずる部材に把握すれば良い。
【００２４】
また、各図において、構成要素は理解の便宜上大きさや厚さを誇張して大きく（または厚く）あるいは小さく（または薄く）表現するとか単純化して表現しているが、これによって本発明の保護範囲が制限されて解釈されてはならない。
【００２５】
本明細書で使用した用語はただ特定の具現例（態様、ａｓｐｅｃｔ）または実施例を説明するために使用されたもので、本発明を限定しようとする意図ではない。単数の表現は文脈上特に明記しない限り、複数の表現を含む。
【００２６】
本出願において、「含む」または「なる」などの用語は明細書上に記載された特徴、数字、段階、動作、構成要素、部品またはこれらの組合せが存在することを指定しようとするものであり、一つまたはそれ以上の他の特徴、数字、段階、動作、構成要素、部品またはこれらの組合せの存在または付加の可能性を予め排除しないものに理解されなければならない。
【００２７】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているような用語は、関連技術が文脈上持つ意味と一致する意味を持つものに解釈されなければならなく、本出願において明らかに定義しない限り、理想的なあるいは過度に形式的な意味に解釈されない。
【００２８】
まず、図１に示したように、本発明による釣り用リールは、スプール１５を備えたリール本体１０、前記スプール１５の前方のリール本体に設けられるレベルワインダー１３、及び前記レベルワインダー１３に設けられ、釣り糸１１が通過する案内部２１が設けられたラインガイド２０を含んでなる。
【００２９】
より詳細には、前記リール本体１０は釣り竿に結合され、リール本体１０の一側に設けられるハンドル（図示せず）の回転によって釣り糸１１がリール本体１０に設けられたスプール１５に巻き取られるとか解けることになる。このような巻取及び巻解の連続動作中に、前記スプール１５に釣り糸１１が巻き取られるうちにスプール１５に偏重して巻き取られるとか縺れるなどの問題が発生することがある。したがって、このような問題を解決するために、前記リール本体１０にはラインガイド２０が設けられる。前記ラインガイド２０は、スプール１５が回転するにつれて往復運動することにより、釣り糸１１がスプール１５に均一に巻き取られるようにするものである。
【００３０】
このようなラインガイド２０の組み込みにおいて、前記スプール１５の前方には、リール本体１０に設けられた二重螺線軸１３１を含むレベルワインダー１３が設けられている。より詳細に、前記レベルワインダー１３は、ラインガイド２０が前記スプール１５の左右方向に移動することができるように二重螺線軸１３１が備え、前記ラインガイド２０は前記二重螺線軸１３１に結合する対応締結部２０Ｂを持つボディー２０Ａ、及び前記ボディー２０Ａの上部に設けられ、釣り糸１１が通過する案内部２１からなっている。したがって、前記レベルワインダー１３の二重螺線軸１３１とラインガイド２０の対応締結部２０Ｂにより、ハンドルの回転によって往復運動するラインガイド２０は案内部２１を通過する釣り糸１１がスプール１５に均等に巻き取られるようにする。
【００３１】
本発明による釣り用リールは、ラインガイド２０、特に釣り糸１１が接触する部位に耐磨耗性素材のライン接触強化部材が組み込まれているという特徴を有する。このような特徴に関連し、図１には本発明の第１実施例が示されている。
【００３２】
ラインガイド２０は、前記スプール１５に巻き取られる釣り糸１１が通過する案内部２１が形成されたボディー２０Ａを持つ。
【００３３】
この案内部２１は、内周面にコーティング方式あるいはスリーブ結合方式などで強化部材を具現することができるが、図１においては、案内部２１が円錐状の外狭内広状（スプール１５側が内側、その反対側の釣り糸が解ける方向が外側である）の構造を持ち、費用に対する効率性を考慮し、強化部材Ｒは外側第１強化接触リングＲ１及び内側第２強化接触リングＲ２からなる。各強化接触リングはセラミック素材からなることができる。具体的に、傾斜部、特に傾斜内周面部Ｒｓを持ち、円錐状の外狭内広状構造を持つ案内部２１に対応するように、第１強化接触リングＲ１は相対的に大きさが小さくて第２強化接触リングＲ２は相対的に大きい外狭状の第１強化接触リング及び内広状の第２強化接触リングの形態を持つ。円錐状の外狭内広状構造の案内部２１に第１及び第２強化接触リングは押込またはボンディングなどの方式で固定される。
【００３４】
円錐状の外狭内広状構造を持つ案内部２１の内周面より、外側第１強化接触リングＲ１及び内側第２強化接触リングＲ２が内側に突出することで、釣り糸１１との摩擦や衝撃から案内部を保護するように構成されている。
【００３５】
より具体的に、外狭状の第１強化接触リングＲ１は、図１の左上側の一点鎖線円内で確認することができるように、例えば釣り糸１１のうち、釣り針に連結された鉤素と道糸間の結び目１１１を巻き取る過程で結び目と主に接触することで、案内部の破損及び摩耗を防止する。
【００３６】
内広状の第２強化接触リングＲ２は、図１の右上側の一点鎖線円内で確認することができるように、例えば釣り糸１１のうち、釣り針に連結された鉤素と道糸間の結び目１１１を解く過程で結び目と主に接触して案内部の破損及び摩耗を防止する役目をすることになる。
【００３７】
このような第１及び第２強化接触リングの案内部保護機能は、図示のように、特に案内部の外側端部及び内側端部にそれぞれ結合し、案内部の外側端及び内側端より所定の程度に突出しているので、より向上することができる。
【００３８】
このように、外狭状の第１強化接触リングＲ１及び内広状の第２強化接触リングＲ２は、離隔手段、つまり円錐状の外狭内広状構造を持つ案内部２１によって互いに離隔した構造を持ち、釣り糸１１、特に鉤素と道糸間の結び目１１１との摩擦及び衝突から案内部を効果的に保護することになる。
【００３９】
ラインガイド２０はレベルワインダー１３に結合した後にキャップ４０Ｃによって固定される。このために、図４の下側の一点鎖線円内で、キャップ４０Ｃの内周面に形成された雌ネジと結合する雄ネジ４０ｃがボディー２０Ａの下部突起に形成されていることを確認できる。
【００４０】
また、図１において、前記ラインガイド２０、特に案内部２１の下部には貫通排水部２３がさらに設けられている。釣り糸１１は釣りの際に水中に漬かり、釣り糸１１を巻き取ると、水中の多様な異物、水分などが釣り糸１１と一緒にリールに巻き取られるので、釣り糸及びリールの汚染はもちろんのこと、リールなどの腐食の原因になることがある。
【００４１】
このような問題を防止ないし低減するために組み込まれた貫通排水部２３は前記ラインガイド２０の下部に設けられ、釣り糸１１が巻き取られる（甚だしくは解ける）過程で水分などが、釣り糸の案内部または強化部材との接触や釣り糸の巻取及び巻解の過程で慣性、自重などによって釣り糸１１から離脱する場合、離脱した水分や異物が貫通排水部を通じてラインガイド２０の外部、つまり釣り用リールの外部に放出されるように誘導する。
【００４２】
また、前記貫通排水部２３は、前記案内部２１の内周面から外側に斜めに配設されることで、案内部２１の内側の傾斜部Ｒｓに沿って流れる水分などが前記貫通排水部２３に重力によって流動して排出されるように構成されている。
【００４３】
このような貫通排水部は、図２〜図５の釣り用リールの構造にも多様な形態に変形されて組み込まれることができる。
【００４４】
つぎに、図２は本発明によるラインガイド２０のアセンブリーの第２実施例を示すもので、図１の案内部２１及びボディー２０Ａが一体型に構成されたラインガイド２０の構造の代わりに、図２においては、ラインガイド２０が、案内部２１をなす案内リングＲ２１と前記二重螺線軸１３１に結合する対応締結部２０Ｂを持つボディー２０Ａとの組立型構造を持つように構成されている。
【００４５】
また、ラインガイドの耐磨耗性素材のライン接触強化部材は、案内部２１の内周面に強化コーティングや強化スリーブを組み込む方式で構成されることができる。案内リングＲ２１の全体がセラミックなどの耐磨耗性素材からなった場合または案内部２１の内周面に強化コーティングや強化スリーブを組み込んだ場合、一種の強化接触リングをなすことになる。
【００４６】
特に、前記案内リングＲ２１は下部に組立部として挿入突起２０Ｐを持ち、この挿入突起２０Ｐはラインガイド２０のボディー２０Ａの溝状装着部２０ｍに挿入され、挿入突起と装着部の結合は、フィクサー（ｆｉｘｅｒ）、特にピン型フィクサー４０Ａと、このピン型フィクサーの端部の環状溝と噛み合う（ｂｉｔｅ）圧支リング４０ａとによってなされることができる。このピン型フィクサーと圧支リングはそれぞれボルトとナットに変形できる。ピン型フィクサー４０Ａの挿入のために、装着部２０ｍには前後方向に挿入孔２０Ｈが形成されている。
【００４７】
図２の左上側の一点鎖線円内は、釣り糸１１が巻き取られる過程で結び目１１１と主に接触する案内リングＲ２１ないし強化接触リングの状態を拡大して示す。
【００４８】
図２の右上側の一点鎖線円内は、釣り糸１１が解ける過程で結び目１１１と主に接触する案内リングＲ２１ないし強化接触リングの状態を拡大して示す。
【００４９】
参考として、図２の左下側の一点鎖線円内は、案内リングＲ２１の組立部である下部挿入突起２０ｐの部位を垂直に切断した断面図、つまり中央側断面図の「Ａ−Ａ’」線に沿って切断した断面図を示す。
【００５０】
一方、図２の右下側の一点鎖線円内は他の変形例を示すもので、ラインガイド２０のボディー２０Ａの溝状装着部２０ｍに挿入される第１及び第２案内リングＲ１ｍ、Ｒ２ｍを持つ構造を示す。
【００５１】
この変形案内リングＲｍ、つまり第１及び第２案内リングＲ１ｍ、Ｒ２ｍの全体がセラミックなどの耐磨耗性素材からなった場合または案内部の内周面に強化コーティングや強化スリーブを組み込んだ場合、これもやはり一種の強化接触リングと言える。
【００５２】
特に、第１及び第２強化接触リングＲ１ｍ、Ｒ２ｍが釣り糸の巻取及び巻解の特性及び釣り用リールの案内部の周辺構造の特性に合うように、釣り糸１１（特に、鉤素と道糸間の結び目１１１）との摩擦及び衝突から案内部２１（つまり、第１強化接触リングＲ１ｍの外側の狭い第１案内部Ｇ１及び第２強化接触リングＲ２ｍの内側の広い第２案内部Ｇ２）を効果的に保護するために、外狭状の第１強化接触リングＲ１ｍ及び内広状の第２強化接触リングＲ２ｍを互いに離隔させる離隔手段は、第２強化接触リングＲ２ｍの厚肉部Ｇｒが機能するようになっている。
【００５３】
第１及び第２強化接触リングＲ１ｍ、Ｒ２ｍのそれぞれは、組立部である挿入突起２０Ｐ、２０Ｐ’を持ち、それぞれの挿入突起はラインガイド２０のボディー２０Ａの溝状装着部２０ｍに挿入され、挿入突起と装着部の結合は、フィクサー（ｆｉｘｅｒ）、特にピン型フィクサー４０Ａとこのピン型フィクサーの端部の環状溝と噛み合う（ｂｉｔｅ）圧支リング４０ａとによってなされる。
【００５４】
図３は他の形態の組立型ラインガイド２０の案内リングＲＭを持つ第３実施例の釣り用リールを示し、分離構造のボディー２０Ａには装着部として垂直挿入孔２０ｈが形成されている。
【００５５】
図３の左上側の一点鎖線円内も、釣り糸１１が巻き取られる過程で結び目１１１と主に接触する案内リングＲＭないし強化接触リングの状態を拡大して示す。
【００５６】
図３の右上側の一点鎖線円内は、釣り糸１１が解ける過程で結び目１１１と主に接触する案内リングＲＭないし強化接触リングの状態を拡大して示す。
【００５７】
図３の組立状態断面図及び図４の組立過程断面図から確認できるように、案内リングＲＭの全体がセラミックなどの耐磨耗性素材からなる場合または案内部の内周面に強化コーティングや強化スリーブを組み込んだ場合、一種の強化接触リングと言える案内部を持つ案内リングＲＭは下部に組立部として挿入突起２０ｐを持ち、ボディー２０Ａの装着部である垂直挿入孔２０ｈに案内部２１から挿入した後、ボディー２０Ａの雄ネジ部４０ｃにキャップ４０Ｃを結合すると、このキャップ４０Ｃがフィクサー（ｆｉｘｅｒ）の役目をする。すなわち、挿入突起２０ｐの下端がキャップの外周面上部と接触することにより、強化接触リングＲＭの離脱が防止される。必要により、強化接触リングＲＭの上下遊動防止のための突起構造または別の固定手段を組み込むことができる。
【００５８】
参考として、図３の左側の一点鎖線円内は、案内リングＲＭの組立部である下部挿入突起２０ｐの部位を垂直に切断した断面図、つまり中央側断面図の「Ａ−Ａ’」線に沿って切断した断面図を示している。
【００５９】
一方、図３の左下側の一点鎖線円内の結合断面図及び図４の中央下側の一点鎖線円内の分解断面図から確認できるように、さらに他の変形例として、互いに離隔した第１及び第２案内リングないし第１及び第２強化接触リングＲ１Ｍ、Ｒ２Ｍを組み込んでいる例がある。
【００６０】
このラインガイド２０の強化接触リングＲ’はやはり外側の狭い第１案内部Ｇ１及び内側の広い第２案内部Ｇ２をそれぞれ持ち、外狭状の第１強化接触リングＲ１Ｍ及び内広状の第２強化接触リングＲ２Ｍを離隔させる離隔手段は、組立時に両強化接触リングのそれぞれの組立部である挿入突起２０ａ、２０ｂが位置する、ボディー２０Ａの装着部である両垂直挿入孔２０ｈの間に設けられた隔壁Ｇ２０が機能し、組み立てられた挿入突起、しいては両強化接触リングＲ１Ｍ、Ｒ２Ｍの離脱は、フィクサーの役目をするキャップ４０Ｃによって防止される。
【００６１】
最後に、第４実施例を示す図５はやはり組立型ラインガイド２０を示すもので、ボディー２０Ａと案内リングないし強化接触リングＲが組立及び分離される構造であり、また強化部材をなす強化接触リングｒは離隔手段によって互いに離隔した外狭状の第１強化接触リングｒ１及び内広状の第２強化接触リングｒ２を持つ。
【００６２】
図５の左上側の一点鎖線円は、案内リングないし強化接触リングｒの中で、釣り糸１１が巻き取られる過程で結び目１１１と主に接触する外狭状の第１強化接触リングｒ１の状態を拡大して示す。
【００６３】
図５の右上側の一点鎖線円内は、案内リングないし強化接触リングｒの中で、釣り糸１１が解ける過程で結び目１１１と主に接触する内広状の第２強化接触リングｒ２の状態を拡大して示す。
【００６４】
図５の「Ａ−Ａ’」線、「Ｂ−Ｂ’」線、「Ｃ−Ｃ’」線、及び「Ｄ−Ｄ’」線に沿って垂直に切断した断面図を示す。図５の下側の一点鎖線楕円内の拡大図及び左右上側の一点鎖線円内の拡大図から確認できるように、ボディー２０Ａの装着部は、左側端部離脱防止段部２５の内側に案内レール２０Ｇを持ち、この案内レール２０Ｇにスライド可能に結合されて離脱が防止されるように、外狭状の第１強化接触リングｒ１及び内広状の第２強化接触リングｒ２の各組立部である挿入突起ｒｐ、ｒｐ’の案内突起ｒｇ、ｒｇ’を持ち（それぞれ「Ｄ−Ｄ’」線及び「Ｂ−Ｂ’」線基準の断面図参照）、同様に案内レール２０Ｇにスライド可能に結合されて離脱が防止されるように、離隔手段であるスペーサーＧ（「Ｃ−Ｃ’」線基準の断面図参照）の案内突起ｇが結合する構造であり、案内レール２０Ｇ及び各案内突起ｒｇ、ｒｇ’、ｇは一種のダブテール（ｄｏｖｅｔａｉｌ）と類似した結合構造を持つ。
【００６５】
ボディー２０Ａの装着部である案内レール２０Ｇに先に外狭状の第１強化接触リングｒ１をスライド結合すれば、左側端部離脱防止段部２５の内側に第１強化接触リングの挿入突起ｒｐが接触し、ついで案内レール２０ＧにスペーサーＧ及び内広状の第２強化接触リングＲ２を結合すれば、それぞれの案内突起ｒｇ、ｒｇ’、ｇによって上方への離脱が防止され、第１及び第２強化接触リングｒ１、ｒ２及びスペーサーＧの左側方向への離脱はボディー２０Ａの離脱防止段部２５によって防止される。
【００６６】
また、第１及び第２強化接触リングｒ１、ｒ２及びスペーサーＧの右側方向への離脱はラインガイド２０のボディー２０Ａを貫通する一種のフィクサー（ｆｉｘｅｒ）であるボルト４０Ｂによって防止される（「Ａ−Ａ’」線基準の断面図参照）。
【００６７】
組立後、ボルト４０Ｂの外周面は第２強化接触リングｒ２の挿入突起ｒｐ’と接触する形態なので、遊動防止組立構造を持つことが好ましい。
【００６８】
また、必要によって、図５の下側の一点鎖線楕円内の「Ｃ−Ｃ’」線基準の断面図に関連した、図５の中間右側の一点鎖線円内の変形例から確認できるように、スペーサーＧ及びボディー２０Ａの案内レール２０Ｇには垂直（または傾斜）通孔が形成されて、貫通排水部Ｇ２３として機能するようになっている。これも外側の狭い第１案内部Ｇ１及び内側の広い第２案内部Ｇ２から構成された「案内部２１の下部に配設」された変形「貫通排水部」に相当する。
【００６９】
以上のような本発明の説明において、添付図面に基づいて特定の形状及び構造を持つラインガイド及び釣り用リールを主に説明したが、本発明は当業者によって多様な修正、変形及び置換が可能であり、このような修正、変形及び置換は本発明の保護範囲に属するものに解釈されなければならない。
【産業上の利用可能性】
【００７０】
本発明はスプールに釣り糸が均一に巻き取られるようにするレベルワインダーに結合され、通過する釣り糸を案内する案内部を備えたラインガイドに耐磨耗性特性を持つ強化部材を組み込んだ釣り用リールに適用可能である。
【符号の説明】
【００７１】
Ｐ１、Ｐ２、Ｐ３、Ｐ４    ラインガイドアセンブリー
１０        リール本体
１１        釣り糸
１１１      結び目
１３        レベルワインダー
１５        スプール
２０        ラインガイド
２０Ａ      ボディー
２０Ｂ      対応締結部
２１        案内部
２３        貫通排水部
Ｒ          強化部材
【図１】
2016096824.tif 000003
【図２】
2016096824.tif 000004
【図３】
2016096824.tif 000005
【図４】
2016096824.tif 000006
【図５】
2016096824.tif 000007